(57)【要約】    【課題】  建築現場に設置されたプレキャストのコンクリート部材上に防護柵を設けたり、取り外したりする手間を減らす。    【解決手段】  コンクリート部材上に多数の柱を設立し、柱の間に横紐又は横木を設ける防護柵において、柱１の下端には、コンクリート部材Ｐ上面の凹部Ｒ内の吊り上げ用アンカー頭部Ｈを上下方向から把持する取付具を装着した。取付具の上昇用部材１６は、凹部Ｒ内のアンカー軸部Ｓに嵌め込んでアンカー頭部Ｈ下面に当てる二股状当て部２０を備えた。取付具の下降用部材１２は、アンカー頭部Ｈの上面又は凹部Ｒの開口縁に当てる当て部１４を備えた。上昇用部材１６と下降用部材１２は、螺子機構１３、１９を設けた。螺子機構１３、１９の回転操作で当て部２０と当て部１４との間の距離を増減可能にした。当て部２０と当て部１４との間には、アンカー頭部Ｈを把持し、解放する。【選択図】  図４
2006316492.tif 000002
【特許請求の範囲】
【請求項１】
建築現場に設置されたプレキャストのコンクリート部材上に多数の柱を設立し、柱の間に横紐又は横木を掛け渡して設けるコンクリート部材上の防護柵において、
柱の下端には、コンクリート部材上面の凹部内の中央部に位置している吊り上げ用のアンカーの頭部を上下方向から把持する取付具を装着しており、
取付具は、下降用部材と上昇用部材からなり、上昇用部材は、凹部の底面から突き出しているアンカーの軸部に嵌め込んでアンカーの頭部の下面に当てる二股状の当て部を有し、下降用部材は、アンカーの頭部の上面又は凹部の開口縁に当てる当て部を有し、上昇用部材と下降用部材は、螺子軸と螺子孔とからなる螺子機構を設け、螺子機構の回転操作で上昇用部材の当て部と下降用部材の当て部との間の距離を増減可能にして、上昇用部材の当て部と下降用部材の当て部との間にアンカーの頭部を把持したり解放したりする構成にしたことを特徴とする防護柵。
【請求項２】
下降用部材は、柱の下側に螺子軸を同心に突出し、下端を、アンカーの頭部の上面に当てる当て部にしており、
上昇用部材は、横向きにした円筒体の上部に螺子孔を上下方向に貫通して設け、円筒体の下部を、アンカーの軸部に嵌め込んでアンカーの頭部の下面に当てる二股状の当て部にしており、
上昇用部材の螺子孔に下降用部材の螺子軸を螺合して貫通し、下降用部材の当て部を上昇用部材の円筒体内に突出しており、下降用部材の螺子軸と上昇用部材の螺子孔で螺子機構を構成していることを特徴とする請求項１に記載の防護柵。
【発明の詳細な説明】
【技術分野】
【０００１】
本発明は、建築現場に設置されたコンクリート部材の上に仮設の防護柵を設ける技術に関する。
【背景技術】
【０００２】
プレキャストのコンクリート部材を用いて建築物を造る場合、建築現場に設置したコンクリート部材の上で作業を行うときには、作業者の転落事故を防止するため、コンクリート部材の上に防護柵を仮設する。仮設の防護柵は、建築現場に設置されたコンクリート部材上に多数の柱を所望の間隔を置いて設立し、隣り合う柱の間に横紐や横木を掛け渡している。
【０００３】
プレキャストのコンクリート部材は、コンクリート工場で製造されて建築現場に輸送され、建築現場に設置される。このコンクリート部材は、重量物であり、クレーンなどの持上げ機械で吊り上げられる。コンクリート部材の表面には、吊り上げ用のアンカーを埋め込んでいる。
【０００４】
そこで、コンクリート部材上に防護柵を設けるときには、建築現場に設置されたコンクリート部材の上面に露出しているアンカーの頭部に柱の下端を溶接し、柱を設立する。柱には、横紐や横木を取り付ける。防護柵を取り外すときには、柱の下端を溶断し、柱を取り外す。
【０００５】
また、吊り上げ用のアンカーが所望の位置にないときには、コンクリート部材にインサートを埋め込み、インサートの螺子孔に柱の下端の螺子軸を螺合し、柱を設立する。柱には、横紐や横木を取り付ける。防護柵を取り外すときには、柱から横紐や横木を取り外し、柱を捩じ戻して取り外す。
【０００６】
【特許文献１】特開平５−６８５５３号公報
【発明の開示】
【発明が解決しようとする課題】
【０００７】
建築現場に設置されたプレキャストのコンクリート部材上に仮設の防護柵を設ける場合、コンクリート部材上面のアンカーに防護柵の柱を溶接して設立するとき、また、柱を溶断して取り外すときには、建築現場に溶接工と溶接機を要する。柱の設立と取外には、多くの手間が掛かる。その上、取り外された柱は、溶断により損傷を受け、再使用し難い。
【０００８】
また、プレキャストのコンクリート部材にインサートを埋め込んでインサートに防護柵の柱を捩じ込むときには、インサートの埋め込みを、コンクリート部材の成形時に行っても、トコンクリート部材を建築現場に設置した後に行っても、インサートの埋め込みには、多くの手間が掛かる。
【０００９】
結局、建築現場に設置されたプレキャストのコンクリート部材上に防護柵を設ける作業と取り外す作業には、多くの手間が掛かる。
【００１０】
［課題を解決するための着想］
１）防護柵の柱は、プレキャストのコンクリート部材上面の吊り上げ用アンカーに簡単に着脱可能にすることを着想した。そこで、その吊り上げ用アンカーを詳細に観察した。
アンカーは、丸棒形状の軸部の下端に、コンクリートに埋没する大径の抜け止め部を形成し、軸部の上端に、コンクリートの表面に突出する大径の頭部を形成している。プレキャストのコンクリート部材は、表面に、連結具のカップラーを挿入する凹部を形成し、凹部内に、カップラーを留めるアンカーの頭部を突出している。
建築現場に設置されたコンクリート部材の上面にアンカーの頭部が露出する詳細な態様は、次の通りである。アンカーは、コンクリート部材上面の凹部の底面から軸部の上部が突き出し、その軸部の上に、軸部より大径の頭部が同心に位置する。アンカーのほぼ円板形状の頭部は、ほぼ半球形状の凹部内の中央部に位置し、軸部より外側に突出する外周部があり、その外周部に円環状の下面がある。
【００１１】
２）防護柵の柱の下端をアンカーの頭部に着脱可能に取り付けるに当り、柱の下端に取付具を装着し、取付具が、コンクリート部材上面の凹部内の中央部に位置しているアンカーの頭部を上下方向から把持することにした。
取付具は、下降用部材と上昇用部材から構成する。上昇用部材は、二股状の当て部を備える。この二股状当て部は、コンクリート部材上面の凹部の底面から突き出しているアンカーの軸部に嵌め込んでアンカーの頭部の下面に当てる。下降用部材は、アンカーの頭部の上面に当てる当て部を備える。上昇用部材と下降用部材は、螺子軸と螺子孔とからなる螺子機構を設ける。螺子機構の回転操作で、上昇用部材の当て部と下降用部材の当て部との間の距離を増減する。
【００１２】
３）また、取付具の下降用部材は、アンカーの頭部の上面に当てる当て部に代えて、コンクリート部材上面の凹部の開口縁に当てる当て部を備える。
【００１３】
４）更に、取付具は、丸棒形状の鋼材、円筒形状の鋼材や板形状の鋼材のような基礎材料から簡単に製作することを考案した。
【課題を解決するための手段】
【００１４】
１）建築現場に設置されたプレキャストのコンクリート部材上に多数の柱を設立し、柱の間に横紐又は横木を掛け渡して設けるコンクリート部材上の防護柵において、
柱の下端には、コンクリート部材上面の凹部内の中央部に位置している吊り上げ用のアンカーの頭部を上下方向から把持する取付具を装着しており、
取付具は、下降用部材と上昇用部材からなり、上昇用部材は、凹部の底面から突き出しているアンカーの軸部に嵌め込んでアンカーの頭部の下面に当てる二股状の当て部を有し、下降用部材は、アンカーの頭部の上面又は凹部の開口縁に当てる当て部を有し、上昇用部材と下降用部材は、螺子軸と螺子孔とからなる螺子機構を設け、螺子機構の回転操作で上昇用部材の当て部と下降用部材の当て部との間の距離を増減可能にして、上昇用部材の当て部と下降用部材の当て部との間にアンカーの頭部を把持したり解放したりする構成にしたことを特徴とする。
【００１５】
２）上記のコンクリート部材上の防護柵において、
下降用部材は、柱の下側に螺子軸を同心に突出し、下端を、アンカーの頭部の上面に当てる当て部にしており、
上昇用部材は、横向きにした円筒体の上部に螺子孔を上下方向に貫通して設け、円筒体の下部を、アンカーの軸部に嵌め込んでアンカーの頭部の下面に当てる二股状の当て部にしており、
上昇用部材の螺子孔に下降用部材の螺子軸を螺合して貫通し、下降用部材の当て部を上昇用部材の円筒体内に突出しており、下降用部材の螺子軸と上昇用部材の螺子孔で螺子機構を構成していることを特徴とする。
【発明の効果】
【００１６】
建築現場に設置されたプレキャストのコンクリート部材上に防護柵を設ける場合、柱の下端に装着した取付具の上昇用部材の二股状当て部を、コンクリート部材上面の凹部内のアンカーの軸部に嵌め込み、取付具の下降用部材の当て部を、凹部内のアンカーの頭部又は凹部の開口縁の上に配置する。次に、螺子機構を回転操作して、上昇用部材の当て部と下降用部材の当て部との間を縮め、上昇用部材の当て部をアンカーの頭部の下面に当てると共に、下降用部材の当て部をアンカーの頭部の上面又は凹部の開口縁に当て、アンカーの頭部を上下方向から把持する。すると、柱が設立される。
【００１７】
コンクリート部材上の防護柵を取り外すときには、柱下端の取付具の螺子機構を回転操作して、上昇用部材の当て部と下降用部材の当て部との間を広げ、上昇用部材の二股状当て部をアンカーの軸部から抜き出す。すると、柱が取り外される。
【００１８】
コンクリート部材上の防護柵の柱は、着脱が取付具の螺子機構の回転操作で簡単に行われる。その上、取り外した柱は、取り外しによる損傷がなく、そのまま再使用される。
【発明を実施するための最良の形態】
【００１９】
［第１例（図１〜図５参照）］
本例の防護柵は、建築現場に設置されたプレキャストのコンクリート部材Ｐの上に設ける。
【００２０】
防護柵の柱１は、鋼製の円管形状である。柱１の上端には、図１と図２に示すように、紐掛け具２を取り付けている。紐掛け具２は、横紐を通す円環部を柱１の上側に設けている。この紐掛け具２は、柱１の軸芯の周りに回転可能にして、円環部の横紐を通す向きを柱１に対して任意に設定可能にしている。
【００２１】
柱１の中程には、命綱留め具３を取り付けている。命綱留め具３は、作業者の命綱の連結具を掛け留める掛け輪を柱１の片側に設けている。この命綱留め具３は、柱１の周りに回転可能にして、掛け輪の位置を柱１の周りに移動可能にしている。
【００２２】
柱１の下端には、図１〜図３に示すように、取付具１１を装着している。取付具１１は、下降用部材１２と上昇用部材１６からなる。下降用部材１２と上昇用部材１６は、図４と図５に示すように、コンクリート部材Ｐ上面の凹部Ｒ内の中央部に位置している吊り上げ用のアンカーの頭部Ｈを上下方向から把持する。
【００２３】
下降用部材１２は、丸軸形状であり、上半分の取付部を柱１の下端に差し込んで溶接で固定し、下半分の螺子軸１３を柱１の下側に同心に突出している。下降用部材１２は、下端を、凹部Ｒ内のアンカーの頭部Ｈの上面に当てる当て部１４にしている。
【００２４】
上昇用部材１６は、短い円筒形状であり、横向きにした円筒体１７の上に円筒板形状の補強板１８を重ねて溶接で固定し、円筒体１７の上部と補強板１８を上下方向に貫通する螺子孔１９を設けている。螺子孔１９には、下降用部材１２の螺子軸１３を螺合して貫通している。下降用部材１２は、下端の当て部１４を円筒体１７内に突出している。上昇用部材１６は、円筒体１７の下部に一端から横向きに溝を形成して、下部を二股状にしている。この二股状の下部は、凹部Ｒの底面から突き出しているアンカーの軸部Ｓに嵌め込んでアンカーの頭部Ｈの下面に当てる当て部２０にしている。
【００２５】
二股状の当て部２０を有する上昇用部材１６と、当て部１４を有する下降用部材１２は、螺子軸１３と螺子孔１９とからなる螺子機構を設け、螺子機構１３、１９で連結している。
取付具１１は、丸棒形状の鋼材や円筒形状の鋼材のような基礎材料から簡単に製作される。
【００２６】
コンクリート部材Ｐの上に防護柵を設ける場合、柱１を手に持って、取付具１１の上昇用部材１６をほぼ半球形状の凹部Ｒ内に差し込み、上昇用部材１６の二股状当て部２０を凹部Ｒ内のアンカーの軸部Ｓに嵌め込む。すると、二股状当て部２０は、凹部Ｒ内のアンカーの頭部Ｈの下側に位置する。一方、柱１は垂直にして、下降用部材１２の当て部１４を凹部Ｒ内のアンカーの頭部Ｈの上側に配置する。
【００２７】
次に、上昇用部材１６は、足で軽く押して回り止めを施し、柱１を手で軸芯の周りに回転する。すると、螺子機構１３、１９が回転操作され、下降用部材１２の螺子軸１３が上昇用部材１６の螺子孔１９に対して回転する。下降用部材１２と柱１が下降し、上昇用部材１６が上昇する。上昇用部材１６の二股状当て部２０と下降用部材１２の当て部１４との間が縮まる。二股状当て部２０がアンカーの頭部Ｈの下面に当ると共に、当て部１４がアンカーの頭部Ｈの上面に当る。取付具１１は、凹部Ｒ内のアンカーの頭部Ｈを上下方向から把持する。
【００２８】
柱１は、更に回転し、螺子軸１３を締め付ける。すると、取付具１１は、アンカーの頭部Ｈに固定される。柱１は、コンクリート部材Ｐ上に設立される。
【００２９】
柱１は、多数をコンクリート部材Ｐ上に設立する。各柱１の紐掛け具２に横紐を通し、柱１の間に横紐を掛け渡す。すると、柱１と横紐からなる防護柵がコンクリート部材Ｐ上に設けられる。
【００３０】
コンクリート部材Ｐ上の防護柵を取り外すときには、各柱１から横紐を取り外す。上昇用部材１６は、足で回り止めを施し、柱１を手で設立時と逆方向に回転する。すると、螺子機構１３、１９が取外用に回転操作され、二股状当て部２０と当て部１４との間が広がる。取付具１１が凹部Ｒ内のアンカーの頭部Ｈを把持した状態が解除される。次に、二股状当て部２０を凹部Ｒ内のアンカーの軸部Ｓから抜き出す。すると、柱１が取り外される。
【００３１】
建築現場に設置されたプレキャストのコンクリート部材Ｐには、護岸用の矢板の壁に被せたプレキャストの笠コンクリートブロックや、箱型に組み立てたプレキャストの遊水池構築用コンクリートブロックが例示される。
【００３２】
［第２例（図６と図７参照）］
本例の防護柵の柱１は、第１例における取付具１１の上昇用部材１６の構造を少し変更している。
【００３３】
上昇用部材１６は、図６と図７に示すように、横向きにした円筒体１７の上部を水平に切断して除去し、円筒体１７の切断上面に横板２６を溶接で固定し、円筒体１７の切断上面の開口を横板２６で閉鎖している。横板２６は、円筒体１７の上部を構成しており、螺子孔１９を上下方向に貫通して設けている。
【００３４】
螺子孔１９には、第１例におけるのと同様に、下降用部材１２の螺子軸１３を螺合して貫通している。下降用部材１２は、下端の当て部１４を円筒体１７内に突出している。
【００３５】
上昇用部材１６は、高さが低くなり、コンクリート部材Ｐ上面の凹部Ｒから突出する量が減る。螺子軸１３は、短くなる。取付具１１は、丸棒形状の鋼材、円筒形状の鋼材や板形状の鋼材のような基礎材料から簡単に製作される。
その他の点は、第１例におけるのと同様である。
【００３６】
［第３例（図８と図９参照）］
本例の防護柵の柱１は、第１例における取付具１１の上昇用部材１６の構造を変更している。
【００３７】
上昇用部材１６は、図８と図９に示すように、上側横片２８と下側横片２９を縦片で連結したコの字形縦断面の部材である。この部材１６は、上側横片２８を上下方向に貫通する螺子孔１９を設けている。螺子孔１９には、下降用部材１２の螺子軸１３を螺合して貫通している。螺子軸１３は、柱１より小径である。下降用部材１２は、下端の当て部１４をコの字形縦断面の上昇用部材１６内に突出している。
【００３８】
上昇用部材１６の下側横片２９は、先端から縦片側に至る溝を形成して二股状にしている。この二股状の下側横片２９は、コンクリート部材Ｐ上面の凹部Ｒ内のアンカーの軸部Ｓに嵌め込んでアンカーの頭部Ｈの下面に当てる当て部にしている。
その他の点は、第１例におけるのと同様である。
【００３９】
［第４例（図１０と図１１参照）］
本例の防護柵の柱１は、第１例における取付具１１の下降用部材１２と上昇用部材１６の構造を変更している。
【００４０】
上昇用部材１６は、図１０と図１１に示すように、柱１の片側に突出する下側横片３１を柱１の下端に固定し、下側横片３１の上側位置に突出する上側横片３２を柱１に固定している。即ち、上昇用部材１６は、下側横片３１と上側横片３２及びそれらを連結する柱１の下端部でコの字形縦断面形状に構成している。
【００４１】
下側横片３１は、先端から柱１側に至る溝を形成して二股状にしている。この二股状の下側横片３１は、コンクリート部材Ｐの凹部Ｒ内のアンカーの軸部Ｓに嵌め込んでアンカーの頭部Ｈの下面に当てる当て部にしている。上側横片３２は、螺子孔１９を上下方向に貫通して設けている。
【００４２】
下降用部材１２は、ボルトである。ボルト１２は、螺子軸１３を上側横片３２の螺子孔１９に螺合して貫通している。下降用部材１２は、下端を、凹部Ｒ内のアンカーの頭部Ｈの上面に当てる当て部１４にしている。当て部１４は、上側横片３２と下側横片３１との間に配置している。ボルト１２の六角形の頭部は、上側横片３２の上に配置している。
【００４３】
柱１の下端をアンカーの頭部に固定するとき、また、取り外すときには、柱１を手で掴んで上昇用部材１６の回り止めを施す一方、柱１を回転せずに、ボルトの下降用部材１２を回転する。下降用部材１２は、ボルトであるので、その回転には、ボルトを回す道具、例えばスパナを用いることができる。
その他の点は、第１例におけるのと同様である。
【００４４】
［第５例（図１２と図１３参照）］
本例の防護柵の柱１は、第１例における取付具１１の下降用部材１２と上昇用部材１６の構造を変更している。
【００４５】
取付具は、図１２と図１３に示すように、柱１の下端に上側円板３４を同心に固定している。上側円板３４は、丸棒形状の柱１より大径で、コンクリート部材Ｐ上面の凹部Ｒの開口より小径である。上側円板３４の中心部は、凹部Ｒ内のアンカーの頭部Ｈの上面に当てる当て部３５にしている。上側円板３４の外周部は、両側にそれぞれ通し孔３６を上下方向に貫通している。
【００４６】
上側円板３４の下側には、下側円板３７を同心に配置している。下側円板３７は、上側円板３４より小径である。下側円板３７の外周部は、両側にそれぞれ螺子軸３８を固定して設立している。両側の螺子軸３８は、それぞれ、上側円板３４の両側の通し孔３６に貫通し、上側円板３４上に突出する上部に蝶ナット３９を螺合している。両側の蝶ナット３９は、それぞれ、上側円板３４の上に載っている。下側円板３７は、外周から中心部に至る溝を形成して二股状にしている。この二股状の下側円板３７は、凹部Ｒ内のアンカーの軸部Ｓに嵌め込んでアンカーの頭部Ｈの下面に当てる二股状の当て部にしている。
【００４７】
上側円板３４と両側の蝶ナット３９は、取付具の下降用部材を構成している。下側円板３７と両側の螺子軸３８は、取付具の上昇用部材を構成している。二股状の当て部３７を有する上昇用部材と、当て部３５を有する下降用部材は、螺子軸３８と蝶ナット３９の螺子孔とからなる螺子機構を設け、螺子機構３８、３９で連結している。
【００４８】
柱１の下端をアンカーの頭部Ｈに固定するとき、また、取り外すときには、両側の蝶ナット３９を同様に回転する。上側円板３４や下側円板３７の回り止めは、不要である。
その他の点は、第１例におけるのと同様である。
【００４９】
［第６例（図１４と図１５参照）］
本例の防護柵の柱１は、第１例における取付具１１の構造を変更している。
【００５０】
取付具は、図１４と図１５に示すように、柱１の下端に螺子軸４１を同心に固定している。螺子軸４１には、円形状の上側盤４２を同心に貫通している。上側盤４２は、中心部に螺子孔４３を同心に貫通し、螺子孔４３に螺子軸４１を螺合している。この上側盤４２は、コンクリート部材Ｐ上面の凹部Ｒの開口より大径である。上側盤４２の外周部は、凹部Ｒの開口縁に当てる当て部４４にしている。
【００５１】
螺子軸４１は、下端が上側盤４２の下側に突出している。螺子軸４１の下端には、上側横片と下側横片を縦片で連結したコの字形部材４５を固定している。コの字形部材４５の下側横片は、先端から縦片側に至る溝を形成して二股状にしている。この二股状の下側横片は、凹部Ｒ内のアンカーの軸部Ｓに嵌め込んでアンカーの頭部Ｈの下面に当てる二股状の当て部４６にしている。
【００５２】
上側盤４２は、取付具の下降用部材を構成している。螺子軸４１とコの字形部材４５は、取付具の上昇用部材を構成している。二股状の当て部４６を有する上昇用部材４１、４５と、当て部４４を有する下降用部材４２は、螺子軸４１と螺子孔４３とからなる螺子機構を設け、螺子機構４１、４３で連結している。
【００５３】
柱１の下端をアンカーの頭部Ｈに固定するときには、コの字形部材４５を凹部Ｒ内に差し込み、二股状の当て部４６を凹部Ｒ内のアンカーの軸部Ｓに嵌め込む。すると、二股状当て部４６は、凹部Ｒ内のアンカーの頭部Ｈの下側に位置する。一方、当て部４４は、凹部Ｒの開口縁の上側に配置する。
【００５４】
次に、螺子軸４１と上側盤４２を相対的に回転する。すると、上側盤４２が下降し、柱１と螺子軸４１及びコの字形部材４５が上昇する。当て部４４と二股状当て部４６との間の上下方向の距離が縮まる。当て部４４が凹部Ｒの開口縁に当ると共に、二股状当て部４６がアンカーの頭部Ｈの下面に当る。取付具は、アンカーの頭部Ｈを上下方向から把持する。螺子軸４１は、更に回転し、締め付ける。すると、取付具は、アンカーの頭部Ｈに固定される。柱１は、コンクリート部材Ｐ上に設立される。
【００５５】
上側盤４２は、コンクリート部材Ｐ上面の凹部Ｒを閉鎖する。凹部Ｒの蓋板になる。作業者が凹部Ｒや取付具に足を引っ掛けるおそれが少ない。
【００５６】
柱１を取り外すときには、螺子軸４１を設立時と逆方向に回転する。
その他の点は、第１例におけるのと同様である。
【図面の簡単な説明】
【００５７】
【図１】本発明の実施形態の第１例における防護柵の柱の中間省略の正面図。
【図２】同防護柵の柱の中間省略の部分縦断側面図。
【図３】同防護柵の柱の底面図。
【図４】同柱の下端をコンクリート部材のアンカーに固定した状態を示す正面図。
【図５】同柱の下端をコンクリート部材のアンカーに固定した状態を示す部分縦断側面図。
【図６】実施形態の第２例における防護柵の柱の下端部の正面図。
【図７】同防護柵の柱の下端部の部分縦断側面図。
【図８】実施形態の第３例における防護柵の柱の下端部の部分縦断側面図。
【図９】同防護柵の柱の底面図。
【図１０】実施形態の第４例における防護柵の柱の下端部の部分縦断側面図。
【図１１】同防護柵の柱の底面図。
【図１２】実施形態の第５例における防護柵の柱の下端部の正面図。
【図１３】同防護柵の柱の底面図。
【図１４】実施形態の第６例における防護柵の柱の下端部の側面図。
【図１５】同防護柵の柱の底面図。
【符号の説明】
【００５８】
Ｐ  コンクリート部材
Ｒ  凹部
Ｓ  アンカーの軸部
Ｈ  アンカーの頭部
１  柱
２  紐掛け具
３  命綱留め具
１１  取付具
１２  取付具の下降用部材
１３、１９  螺子機構
１３  螺子軸
１４  当て部
１６  取付具の上昇用部材
１７  円筒体
１８  補強板
１９  螺子孔
２０  二股状の当て部
３４、３９  取付具の下降用部材
３４  上側円板
３５  当て部
３６  通し孔
３７、３８  取付具の上昇用部材
３７  下側円板、二股状の当て部
３８、３９  螺子機構
３８  螺子軸
３９  蝶ナット
４１、４５  取付具の上昇用部材
４１、４３  螺子機構
４１  螺子軸
４２  上側盤、取付具の下降用部材
４３  螺子孔
４４  当て部
４５  コの字形部材
４６  下側横片、二股状の当て部
【図１】
2006316492.tif 000003
【図２】
2006316492.tif 000004
【図３】
2006316492.tif 000005
【図４】
2006316492.tif 000006
【図５】
2006316492.tif 000007
【図６】
2006316492.tif 000008
【図７】
2006316492.tif 000009
【図８】
2006316492.tif 000010
【図９】
2006316492.tif 000011
【図１０】
2006316492.tif 000012
【図１１】
2006316492.tif 000013
【図１２】
2006316492.tif 000014
【図１３】
2006316492.tif 000015
【図１４】
2006316492.tif 000016
【図１５】
2006316492.tif 000017